(57)【要約】【課題】大きい手書き文字のイメージを入力し小さく表示する。【解決手段】レーザーペン３０を使用してプロジェクタスクリーン６０上の入力エリア３０２０内をレーザ光で照射することにより手書き文字のイメージを入力する。入力された手書き文字のイメージはパソコン１０で縮小され、プロジェクタ２０を介してプロジェクタスクリーン６０上の描画エリア３０００に表示のために投影される。【選択図】図４
2008225555.tif 000002
【特許請求の範囲】
【請求項１】
イメージを表示する表示画面上の位置をポインティングデバイスにより指定することにより手書き文字のイメージの入力を行う手書き文字入力装置において、
前記表示画面上に、前記手書き文字のイメージの入力を行うための入力エリアと、該入力エリアより小さい描画エリアであって、前記入力エリアで入力された手書き文字の縮小イメージを表示するための描画エリアとを設け、
前記入力エリアで入力された手書き文字のイメージから前記描画エリアに表示するための縮小イメージを作成する画像処理手段と、
該画像処理手段により作成された縮小イメージを前記描画エリアに表示すると共に前記入力エリアで入力された手書き文字のイメージを前記入力エリアに表示する表示制御手段と
を備えたことを特徴とする手書き文字入力装置。
【請求項２】
請求項１に記載の手書き文字入力装置において、前記ポインティング装置により指定された位置に前記描画エリアを移動させる移動制御手段をさらに有することを特徴とする手書き文字入力装置。
【請求項３】
請求項１に記載の手書き文字入力装置において、前記入力エリア内の特定の領域内の位置が前記ポインティングデバイスにより指定されたことを検知する検知手段をさらに有し、当該検知に応じて、前記表示制御手段は前記入力エリアに表示された手書き文字入力のイメージを消去し、前記描画エリアを拡大して前記入力エリアに新たに入力された手書き文字のイメージを拡大された描画エリアに追加表示することを特徴とする手書き文字入力装置。
【発明の詳細な説明】
【技術分野】
【０００１】
本発明は、イメージを投影するプロジェクタシステム、特にコンピュータの表示器に表示されたイメージと同じイメージをプロジェクタにより物体の表面（以下、プロジェクタスクリーンと称する）に投影するプロジェクタシステムや、タッチパネル表示器を介して手書き文字入力を行う情報処理機器に好適な手書き文字入力装置に関する。
【背景技術】
【０００２】
従来のプロジェクタシステムは、パソコンなどのコンピュータで作成した図、文書などをプロジェクタスクリーンに投影することができるので、講演会など広い場所でプレゼンテーションに用いられてきた。
【０００３】
このようなプロジェクタシステムでは、説明者が投影イメージを指し示す場合には、長い棒を使用してプロジェクタスクリーン上の特定の位置を指し示さなければならない。このため、投影するイメージのページめくりなどのためにパソコンを操作する者と、説明を行う者の２人がプレゼンテーションに必要であった。
【０００４】
このような不具合を解消するために、レーザーペンと呼ばれる携帯型の赤外線発光装置を使用して遠隔で、プロジェクタスクリーン上にレーザ光を発射し、特定色のスポット（丸い点）の形態で投影することで、プロジェクタスクリーン上の任意の位置を閲覧者に知らせるプロジェクタシステムが提案されている（特許文献１）。
【０００５】
このような従来例のシステム構成を図１に示す。図１において、１０は統制するイメージを発生するパーソナルコンピュータ(以下、パソコンと略記する)である。パソコン１０は表示器に表示する１画面分のイメージの画像データを格納するメモリ（ＲＡＭ）を有している。この画像データは１画面を構成する画素、それぞれについての輝度データと色成分データ（ＲＧＢデータ）である。
【０００６】
パソコン１０にはイメージ表示用ソフトウェアプログラム（ワープロソフト、作画ソフトなど、以下表示用ソフトと略記する）と共に、プロジェクタ２０を制御するためのプロジェクタ用ソフトウェア(以下、プロジェクタ用ソフトと略記する)が搭載されている。プロジェクタソフトをパソコン内のＣＰＵが実行することによりメモリに格納された画像データ（一般に画像信号と呼ばれる）の形態の投影用イメージがパソコン１０からプロジェクタ２０に送られる。
【０００７】
２０はプロジェクタであり、液晶表示器（ＬＣＤ）および光源を有する。液晶表示器の裏から３原色（ＲＧＢ）の光源の光を照射すると、液晶表示器の画素の中で開となっている画素は光を通過させて、その後、３原色の透過光は、合成光学系を経てプロジェクタスクリーン６０に透過光５０が投影される。液晶表示器の各画素（１画素についてＲＧＢ３つの画素）を上述の画像データにより開閉すると共に、３原色の光源の輝度を画像データに基づいて調整することでパソコンから送られた画像データ形態のイメージがプロジェクタスクリーン６０上に可視のイメージとして投影される。
【０００８】
３０はレーザ光６０を発射する光学手段であり、一般的にはレーザーペンという名称がいきわたっているので、本願明細書では以下、レーザーペン３０と呼ぶことにする。４０は受光器であり、１画面分の光センサを有する受光器、たとえば、ＣＣＤと呼ばれる受光器を使用することができる。受光器４０はレーザーペン３０からの反射光７０のみを透過させ、プロジェクタ２０から投影される光の反射光を遮断するフィルタを有する。受光器４０のＣＣＤの受光画面の中の特定画素に反射光７０が入射すると、ＣＣＤは各画素の光センサへの入射光を電気信号(光電変換信号)に変換して出力する。
【０００９】
各画素から出力される光電変換信号の電圧が、その画素入射光の輝度を表す。各画素の光電変換信号はアナログ信号であるので、受光器４０内のＡ／Ｄ変換器により電圧を数値で表すデジタル信号に変換する。このようにして受光器４０が発生した１画面分のデジタル信号（以下撮影イメージと称する）はパソコン１０に送られる。パソコン１０のプロジェクタソフトは、受信した撮影イメージの中の各画素の画像データの示す輝度値を、予め定めた閾値と比較し、閾値より大きい輝度値を有する画素位置を検出する。
【００１０】
検出された画素位置と対応する、投影用イメージを記憶するメモリ上の画素位置周辺に特定図形、たとえば、青の丸や矢印図形などカーソル用図形イメージを、記憶されている投影用イメージと、メモリ上でプロジェクタソフトにより合成する。
【００１１】
この合成処理により、カーソル用図形イメージもプロジェクタ２０によりプロジェクタスクリーン６０上に投影される。
【００１２】
以上の処理を繰り返すと、説明者がレーザーペン３０を操作して、プロジェクタスクリーン６０上の指定位置Ｐを動かすと、その移動に応じて、プロジェクタスクリーン６０上に表示されるカーソル用図形イメージも移動する。
【００１３】
また、説明者がレーザーペンの電源オフによりレーザ光の照射を中止するとプロジェクタスクリーン６０上からカーソル図形用イメージも消失する。
【００１４】
上述したプロジェクタシステムにより、説明者はパソコン１０を操作しながら、レーザーペン３０を操作して、プロジェクタスクリーン６０上に投影されたイメージの任意位置を指定することができるようになってきた。
【００１５】
また、プロジェクタスクリーン６０で、レーザーペン３０により位置指定しながらカーソル用図形イメージを移動させて、あたかもカーソル用図形イメージにより線を引く操作を行い、レーザーペン３０の反射光を受光器４０で受光し、パソコン１０に対してレーザーペン３０の指示した線イメージを入力するようなプロジェクタシステムもすでに実施されている。このプロジェクタシステムでは、パソコン１０に入力された線イメージを投影の対象となっているイメージに合成することで、プロジェクタスクリーン６０上にも線イメージを表示する。この機能を使用して、説明者はレーザーペン３０を使用して手書き文字のイメージも入力できるようになってきた。
【００１６】
【特許文献１】特開平１１−８５３９５号公報
【発明の開示】
【発明が解決しようとする課題】
【００１７】
しかしながら、説明者がプロジェクタスクリーン６０上で、レーザーペン３０で手書き文字を描画しようとする場合、手ぶれ等が原因で小さい文字は描画しにくいという問題がある。このような問題は表示画面上に透明タッチパネルを配置し、透明タッチパネルから手書き文字（のイメージ）を入力する情報処理機器についても有する問題である。
【００１８】
そこで、本発明の目的は、大きい文字で手書き文字のイメージを入力し、小さい文字のイメージで表示することの可能な手書き文字入力装置を提供することにある。
【課題を解決するための手段】
【００１９】
このような目的を達成するために、本発明は、イメージを表示する表示画面（６０）上の位置をポインティングデバイス（３０）により指定することにより手書き文字のイメージの入力を行う手書き文字入力装置（４０および１０）において、
前記表示画面上に、前記手書き文字のイメージの入力を行うための入力エリア３０２０）と、該入力エリアより小さい描画エリアであって、前記入力エリアで入力された手書き文字の縮小イメージを表示するための描画エリア（３０００）とを設け、
前記入力エリアで入力された手書き文字のイメージから前記描画エリアに表示するための縮小イメージを作成する画像処理手段（Ｓ２００を実行するパソコン１０のＣＰＵ）と、
該画像処理手段により作成された縮小イメージを前記描画エリアに表示すると共に前記入力エリアで入力された手書き文字のイメージを前記入力エリアに表示する表示制御手段（Ｓ２１０を実行するパソコン１０のＣＰＵ）と
を備えたことを特徴とする。
【発明を実施するための最良の形態】
【００２０】
以下、図面を参照して本発明の実施形態を詳細に説明する。  
(第１の実施形態)
本発明第１の実施形態のハードウェアに関するプロジェクタシステムの構成は図１の従来技術とほぼ同様とすることでき、本願明細書の背景技術で説明しているので、ここでは詳細な説明を省略する。
【００２１】
本発明を説明するために、図１のパソコン１０の内部構成を簡単に説明する。パソコン１０に限らず、ＣＰＵを使用した情報処理機器、あるいは論理演算回路を組み合わせた電子回路などもパソコン１０として使用することができる。
【００２２】
１０００はパソコン１０のハードディスク１０３０に搭載されたプログラムを実行するＣＰＵである。
【００２３】
１０１０はシステムメモリであり、ＲＯＭやＲＡＭで構成される。システムメモリ１０１０内には、ＣＰＵ１０００が実行するプログラムをロードするための記憶領域、ディスプレイ１０２０に表示するイメージを記憶するための記憶領域、ＣＰＵ１０００が情報処理を実行するときに使用する種々の情報を記憶する記憶領域が設けられている。本願発明に関する記憶領域、具体的には、後述するが、図３の入力エリア３０２０に表示するための手書き文字のイメージ、図３の描画エリア３０００に表示するための縮小された手書き文字のイメージおよびこれらの手書き文字のイメージと投影すべき他のイメージを合成したプロジェクタスクリーン表示(投影)用のイメージをそれぞれ記憶する記憶領域が設けられている。また、本実施形態では描画エリア３０００はレーザーペン３０の指示でプロジェクタスクリーン６０上を移動可能であるので、描画エリア３０００のプロジェクタスクリーン６０上の位置（図３のｘ１、ｙ１）および大きさを記憶する記憶領域もシステムメモリ１０１０内に設けられている。
【００２４】
１０２０はディスプレイであり、プロジェクタ２０により投影する投影用イメージと同じイメージを表示する。
【００２５】
１０３０は後述(図３)のプログラムを保存するためのハードディスクである。ＣＰＵ１０００が実行するプログラムはハードディスク１０３０からシステムメモリ１０１０にロードされた後ＣＰＵ１０００により実行される。
【００２６】
１０４０は入出力インターフェースであり、受光器１０からの撮影イメージを入力する。また、入出力インターフェース１０４０から投影用イメージをプロジェクタ２０に送信する。入出力インターフェース１０４０にはマウスやキーボードなど従来周知の入出力デバイスも接続可能である。
【００２７】
図３は本発明第１の実施形態において、パソコン１０に搭載するソフトウェアの構成を示す。図２において、２０００はプロジェクタ用プログラムであり、投影用イメージ発生プログラム(後述)２０１０により作成した投影用イメージをプロジェクタ２０へ送信するためのプログラムである。このための機能は従来と同様である。本発明第１の実施形態では、従来のプロジェクタ用プログラムの機能に加えて、図４のアイコン３０１０のレーザーペン３０の操作による、マウスのクリックボタンに相当する操作（以下、クリックボタン操作と総称する）を検知し、ＣＰＵ１０００を本発明の文字入力装置として機能させる文字入力モードに切り替える機能を有する。
【００２８】
２０１０は投影用イメージ発生プログラムであり、投影すべきイメージを作成する周知のプログラムである。たとえば、ワープロソフト、帳票処理ソフト、作画ソフト、プレゼンテーション用コンテンツ作成ソフトなどがよく知られている。これらソフトにより作成された投影用イメージは、パソコン１０の表示器に表示するために使用される内部メモリに格納されるので、この内部メモリを介して投影用イメージがプロジェクタ用プログラム２０００に引き渡される（プロジェクタ用プログラム２０００が内部メモリから読み出す）。
【００２９】
２０２０は、たとえば、マイクロソフト社のウィンドウズ(登録商標)などのオペレーティングシステム２０２０であり、オペレーティングシステム上で上述のプログラムが稼動する。
【００３０】
図４は、プロジェクトスクリーン６０上に投影（表示）され、本発明に係る表示内容を示す。図４において、３０００は描画エリアであり、入力エリア３０２０より小さい。描画エリア３０００は入力エリア３０２０で入力された手書き文字のイメージを縮小表示する。３０１０はアイコンであり、入力エリア３０２０おおび描画エリア３０００を使用する文字入力モードへ切り替えるためのアイコンである。レーザーペン３０によるアイコン３０１０の位置の指定により文字入力モードに切り替わり、２回目の位置指定により、文字入力モード解除される。
【００３１】
３０２０は入力エリアであり、このエリア内でレーザーペン３０によりレーザ光を照射することにより、手書き文字のイメージを受光器４０に入力する。入力された手書き文字のイメージは受光器１０からパソコン１０に送られ、パソコン１０内において、縮小のイメージが作成される。作成された縮小のイメージおよび入力された手書き文字のイメージがこれまでの投影用イメージと合成されて、プロジェクタ２０を介して描画エリア３０００および入力エリア３０２０にそれぞれ表示(投影)される。
【００３２】
描画エリア３０００はレーザーペン３０の指定位置（正確にはレーザ光による指定位置）を符号３０３０で示す描画エリアの位置に移動すると、描画エリア３０００の表示も移動する。
【００３３】
また、本発明第１の実施形態では入力エリア３０２０内に、１回の入力では入力しきれない長い手書き文字列を入力できるように配慮されている。
【００３４】
図４の入力エリアは、これの例では３つに予め分割されており、説明者がレーザーペン３０で手書き文字列「こんに」のイメージをと入力した後、指定位置を第１番目（先頭）の分割エリア内に戻すと、図４に示すように入力エリア３０２０内の表示が消去される。なお、描画エリア３０００は図５に示すように表示領域が横手方向に拡大され、新たに入力エリア３０２０で入力される手書き文字のイメージをこれまでの縮小表示に続けて縮小表示する。
【００３５】
以上述べた手書き文字の入力、縮小表示処理をパソコン１０に実行させるためのプログラムの詳細手順を図６に示す。このプログラムは図３のプロジェクタ用プログラム内に組み込まれている。
【００３６】
以下、図６のプログラムを説明しながら、本発明に係る文字入力装置の動作を説明する。
【００３７】
図６のプログラムは、説明者がプロジェクタスクリーン６０上の図４の文字入力アイコン３０１０をレーザーペン３０により位置指定したときに起動される。
【００３８】
パソコン１０のＣＰＵ１０００(以下、ＣＰＵと略記する)はＳ１０のループ処理を繰り返し、受光器４０からの入力イメージを監視し、プロジェクタスクリーン６０に対応する領域にレーザーペン３０からの反射光のイメージがあるか否かを判定することにより、プロジェクタスクリーン内にレーザーペン３０による入力があったか否かを判定する（Ｓ１０）。
【００３９】
ＹＥＳ判定が得られた場合には、ＣＰＵは手順をＳ１０からＳ２０に進める。ＣＰＵは入力があった位置が入力エリア３０内であるか否かを、入力エリア３０２０の矩形領域の角の座標位置（あるいは受光器４０の入力イメージ上の入力エリア３０２０に相当する座標位置）とプロジェクタスクリーン上のレーザーペンの照射位置（あるいは受光器４０の入力イメージ上のレーザーペン３０の照射イメージの位置）との大小比較により判定する。
【００４０】
レーザーペン３０による入力エリア３０２０内への入力があった場合（ＹＥＳ判定）には、手順はＳ２０からＳ３０に進む。
【００４１】
ＣＰＵはＳ３０で，入力エリア３０２０内に過去に描画があったかを否かを判定する。このためにＣＰＵはシステムメモリ内の１０１０内の受光器４０からの入力イメージを記憶しておく記憶領域を走査し、現在位置とは異なるレーザーペンによる入力エリア３０２０内の位置の指定の有無を判定すればよい。現在位置とは異なるレーザーペン３０による位置指定がない場合（ＮＯ判定）には、初めての入力エリア３０２０への位置指定（説明者による手書文字の書き出し開始）であるので、手順はＳ４０からＳ２００に進む。ＣＰＵは描画エリア３０００および入力エリア３０２０に表示するイメージ（レーザーペン３０により入力される手書き文字のイメージの最初の部分の点イメージ）を作成するべく、入力エリア３０２０上の入力位置に対応する描画エリア３０００上の位置（コントロールポイントと称することがある）を計算する。ＣＰＵはシステムメモリ３０１０１上の投影用イメージを記憶しておく記憶領域上の、入力エリア３０２０上のレーザーペン３０の入力位置に相当する位置に、表示のための点イメージを書き込む。
【００４２】
Ｓ２１０で、投影用イメージをＣＰＵにより従来と同様にして読み出し、プロジェクタ２０に送るプロジェクタ２０によりプロジェクタスクリーン４０上の描画エリア３０００および入力エリア３０２０には、レーザーペン３０により入力された手書き文字の最初の点部分のイメージが表示(投影)される。
【００４３】
説明者が入力エリア３０２０内で手書き文字のイメージの入力を続けると、手順はＳ１０→Ｓ２０→Ｓ３０へと進む。ここで、上述したようにすでに入力エリア３０２０には入力(描画)があるので、Ｓ３０の判定処理はＹＥＳ判定となり、ＣＰＵの実行手順はＳ１００に進む。Ｓ１００は描画エリア３０００を拡大すると共に入力エリア３０２０の表示を消去すべきか否かを判定するための処理である。この例では、図４の入力エリア３０２０内の第２番目の分割領域あるいは第３番目の分割領域内でのレーザーペン３０による位置指定が行われた後、第１の分割領域内での分割領域内での位置指定が行われたときに、説明者から描画エリア３０００の拡大および入力エリア３０２０の表示を消去の指示があったと判定する。具体的な処理の一例としては、Ｓ２１０で、投影用イメージに書き込む際に、システムメモリ１０１０内の作業領域に、入力エリア３０２０にその時点で最後に表示した点イメージが属する入力エリア３０２０の分割領域の識別情報を記憶すればよい。Ｓ１００ではこの識別情報の示す分割領域が第２番目または第３番目の分割領域であるか否かおよび、今回位置指定が行われた分割領域が第１番目の分割領域であるか否かを判定し、双方がＹＥＳ判定となったときに、説明者から描画エリア３０００の拡大および入力エリア３０２０の表示を消去の指示があったと判定する。
【００４４】
説明者が入力エリア３０２０の第１番目の分割領域内で手書き文字のイメージをレーザーペン３０により描き（入力）続けている間はＳ１００の判定処理はＮＯとなるので、手順は、Ｓ１０〜Ｓ３０→Ｓ１００→Ｓ２００→Ｓ２１０→Ｓ１０の処理が繰り返し実行される。Ｓ１００からＳ２００へ手順が移行すると、ＣＰＵは新たにレーザーペン３０により指定された入力エリア３０２０内の位置および描画エリア３０００に点イメージを表示すべくコントロールポイントを計算する。
【００４５】
引き続きＣＰＵは、レーザーペン３０により前に（この段階では第１番目）に指定された位置と今回（この段階では２番目）に指定された位置を使用して２つの点を結ぶ線イメージを入力エリアおよび描画エリア用に投影イメージ記憶領域上で作成する。この例ではベジェ曲線を作成する。この作成方法については、周知技術であり、詳細な説明を要しないであろう。この処理を行うときのＣＰＵが本発明の画像処理手段として機能する。
【００４６】
Ｓ２１０ではＣＰＵはシステムメモリ１０１０内の投影イメージ記憶領域の投影用イメージを読み出してプロジェクタ２０に送るので、プロジェクタスクリーン６０にはレーザーペン３０により指示された１番目および２番目で指示された点を結ぶベジェ曲線が入力エリア３０２０内の第１番目の分割領域およびその縮小イメージが描画エリア３０００上の第１の分割領域に表示(投影)される。このときのＣＰＵおよびプロジェクタ２０が本発明の画像制御手段として機能する。
【００４７】
説明者が図４に示すように入力エリア３０２０内でレーザーペンにより「こんに」の手書き文字列のイメージを入力するまでは、Ｓ１０〜Ｓ３０→Ｓ１００→Ｓ２００→Ｓ２１０→Ｓ１０の処理が繰り返し実行されて、入力エリア３０２０には入力イメージと同じイメージ、描画エリア３０２０は縮小イメージが表示される。
【００４８】
説明者がレーザーペン３０による指示位置を入力エリア３０２０内のいずれかの位置に移動させると、Ｓ１００で入力エリア３０２０内の第３の分割領域から第１の分割領域へ位置指定の移動が検出され、ＣＰＵは、入力エリア３０２０の表示の消去および描画エリア３０００の領域の拡大の指示があったと、判定する（ＹＥＳ）。Ｓ１１０でＣＰＵは、システムメモリ内の描画エリア３０００の位置および大きさを記憶しておく記憶領域の大きさ情報を更新する。一例としては長さを二倍に返納すればよい。入力エリア３０２０の表示を消去するためには、投影用イメージ記憶領域内の入力エリア３０２０対応する領域を白紙イメージに書き換えることで消去を実現できる。以下、説明者が新たに入力エリア３０２０内でレーザーペン３０により手書き文字のイメージを入力すると、手順はＳＳ１０〜Ｓ３０→Ｓ１００→Ｓ２００→Ｓ２１０→Ｓ１０の処理が繰り返し実行されて、入力エリア３０２０にはレーザーペン３０による入力の手書き文字のイメージが表示(投影)され、描画エリア３０００にはその縮小イメージがこれまで表示に続いて(追加して)、表示される。このときのＣＰＵが本発明の検知手段および請求項３の表示制御手段として機能する。
【００４９】
説明者が描画エリアの表示をプロジェクタスクリーン６０上の他の位置に移動させたい場合にはレーザーペン３０により移動したい位置を指定する。
【００５０】
移動したい位置は入力エリア３０２０の外であることがＳ２０で検出され（ＮＯ判定）される。手順は、Ｓ３００へと移動する。ＣＰＵは投影用イメージの中の入力エリアの表示用イメージを投影用イメージ記憶領域内で消去するとともに、描画用イメージ(この時点は「こんに」のイメージ（図４参照）を符号３０４０で示す位置に対応する位置に投影用イメージ記憶領域内で移動する。このときのＣＰＵが本発明の移動制御手段として機能する。
【００５１】
この処理により、プロジェクタスクリーン６０上の入力エリア内の表示が消去され、描画用エリア３０００上の縮小イメージも移動表示される。この後、文字入力アイコン３０１０に対してレーザーペン３０により２回目の位置指定が行われると、文字入力が開放（終了）とＣＰＵ３０はＳ３１０で判定し図６の処理手順を終了する。
【００５２】
(第２の実施形態)
第１の実施形態は、本発明をプロジェクタシステムに適用する例を紹介した。
【００５３】
本発明を透明タッチパネルを使用する手書き文字入力装置にも適用できる。この場合には、液晶表示装置がプロジェクタ２０の機能を果たし、透明タッチパネル（液晶表示器の表示画面上に配置され、透明の圧電素子を配置した位置入力デバイス）が第１の実施形態の受光器４０の機能を果たす。また、タッチパネルにより入力された手書き文字のイメージを使用して、液晶パネルに手書き文字のイメージを入力する制御回路が第１の実施形態のパソコン１０の機能を果たす。
【００５４】
(その他の実施形態)
１）第１の実施形態では、入力エリア３０２０内の指示位置を第１番目の分割領域に戻すことで、描画エリアの拡大を指示していたが、専用のアイコンを表示させ、このアイコンの指示で描画エリアの拡大を指示してもよい。また、入力エリア３０２０の消去の指示についても同様にアイコンを使用してもよい。この形態は表示画面(プロジェクタスクリーン)６０が大きい場合に好適である。第１の実施形態は表示画面が小さい場合に、表示画面を有効利用できるという効果を有する。
２）描画エリアに表示する縮小イメージの作成方法には、第１の実施形態で作成したベジェ曲線を使用する方法の他、画素の間引きなど、種々の画像処理方法が知られているので、表示用デバイスの性能に合わせて適宜、好適な画像処理方法を使用するとよい。第１の実施形態で海事した画像処理方法は、位置入力デバイスの位置検知画素センサの密度が粗い場合に好適である。
【図面の簡単な説明】
【００５５】
【図１】従来例のハードウェア構成を示すブロック図である。
【図２】本発明第１の実施形態のパソコン１０のハードウェアの概略の構成を示すブロック図である。
【図３】本発明第１の実施形態のソフトウェアの構成を示すブロック図である。
【図４】本発明第１の実施形態の表示内容を示す説明図である。
【図５】描画エリアの拡大処理を説明するための説明図である。
【図６】第１の実施形態のＣＰＵの処理手順を示すフローチャートである。
【符号の説明】
【００５６】
１０００  ＣＰＵ
１０１０  システムメモリ
１０２０  ディスプレイ
１０３０  ハードディスク
１０４０  入出力インターフェース
【図１】
2008225555.tif 000003
【図２】
2008225555.tif 000004
【図３】
2008225555.tif 000005
【図４】
2008225555.tif 000006
【図５】
2008225555.tif 000007
【図６】
2008225555.tif 000008